(57)【要約】  生成装置（１）は、トリガ位置を生成するためのユニット（４）、移動要素の移動の過程の間に、移動要素の実際の位置を生成するためのユニット（５）であって、移動要素の連続する有効位置を測定するためのユニット（６）を含み、実際の位置が少なくともこれらの測定された有効位置を含む、ユニット（５）と、現在のトリガ位置に対して、その現在のトリガ位置に続く実際の位置を比較し、これらの連続する実際の位置の中で、現在のトリガ位置に最も近い実際の位置、およびこれが所定の制限内であることを特定するためのユニット（８）、ならびに移動要素が、最も近い実際の位置に到達し、またこの位置が所与の制限内にある場合に、現在のトリガ位置用のパルス信号を生成するユニット（１０）を含む。【選択図】図１
2020527779.tif 000002
【特許請求の範囲】
【請求項１】
移動要素（２）のトリガ位置と呼ばれる位置でパルス信号を生成する方法であって、前記移動要素（２）は、少なくとも２つの自由度による相対的な移動を受けることができ、前記方法は、トリガ位置を生成するステップを含み、前記移動要素（２）の移動の少なくとも一部の間に、以下の連続するステップの継続が反復的に実行され、前記連続するステップは、
−実際の位置と呼ばれる位置を生成するステップ（Ｅ１）であって、前記自由度に対応する軸（Ｘｉ、θＸ、Ｙｉ、θＹ、Ｚｉ、θＺ）に従って定義された前記移動要素（２）の実際の位置（ＰＲｉ）を生成することからなり、実際の位置を生成する前記ステップ（Ｅ１）が、前記移動要素（２）の連続する有効位置をリアルタイムで測定することからなる測定ステップ（Ｅ１１）を含み、前記実際の位置（ＰＲｉ）が少なくとも前記有効位置を含む、ステップ（Ｅ１）と、
−連続したトリガ位置に対して、毎回現在のトリガ位置と呼ばれるトリガ位置（ＰＣｉ）に対し、
この現在のトリガ位置（ＰＣｉ）で実際の位置を生成するステップ（Ｅ１）でリアルタイムに生成された連続する実際の位置（ＰＲｉ）を比較し、これらの連続する実際の位置（ＰＲｉ）から、前記現在のトリガ位置（ＰＣｉ）に最も近い実際の位置（Ｐｉ）、およびこれが前記現在のトリガ位置（ＰＣｉ）に対して所与の制限（Ｌ）内にあることを特定することからなる比較ステップ（Ｅ３）と、
以下の２つの条件が同時に満たされる場合、前記現在のトリガ位置（ＰＣｉ）のパルス信号を生成することからなる、パルス信号を生成するステップ（Ｅ４）であって、前記条件は、
前記移動要素（２）が、前記最も近い実際の位置（Ｐｉ）に到達すること、
および、
この最も近い実際の位置（Ｐｉ）が、前記現在のトリガ位置（ＰＣｉ）に対して前記所与の制限（Ｌ）内にあることである、
ステップ（Ｅ４）と、
を備えていることを特徴とする方法。
【請求項２】
実際の位置を生成する前記ステップ（Ｅ１）が、毎回、前記測定ステップの間に測定された２つの連続する有効位置の間の補間位置の連続を、前記移動要素の移動速度、前記有効位置を含む前記実際の位置（ＰＲｉ）、および２つの連続する有効位置の間で、前記補間位置を考慮することによって、決定することからなる補間ステップ（Ｅ１２）を備えることを特徴とする請求項１に記載の方法。
【請求項３】
トリガ位置を生成する前記ステップ（Ｅ１）が、
−所望の位置を入力することからなる入力サブステップと、
−これらの所望の位置を、移動システムのエラーに関する所定の情報から前記移動要素（２）の前記相対的な移動を生成するように構成された前記移動システムに適合させ、それから前記トリガ位置を推定することからなる処置サブステップと、
を備えることを特徴とする請求項１または２に記載の方法。
【請求項４】
前記比較ステップ（Ｅ３）が、
−距離パラメータの計算からなる計算サブステップ、
−この距離パラメータと所定の値との差を計算することからなる比較サブステップと、
−前記差の変動を評価し、前記差が最も低い位置を検出することからなる評価サブステップであって、前記最も近い実際の位置がこの後者の位置に対応する、評価サブステップと、
を含むことを特徴とする請求項１〜３のいずれか一項に記載の方法。
【請求項５】
前記計算サブステップが、以下の式を使用して距離パラメータＤ２を計算することからなり、
【数１】
2020527779.tif 000006
式中
−ＰＲｉは、考慮される前記実際の位置の自由度Ｌｉに応じた座標を表し、
−ＰＣｉは、前記現在のトリガ位置の自由度Ｌｉに応じた前記座標を表し、
−Ｎは、前記移動要素（２）の自由度Ｌｉの数を表す、
ことを特徴とする、請求項４に記載の方法。
【請求項６】
移動要素（２）のトリガ位置と呼ばれる位置でパルス信号を生成するための装置であって、前記移動要素（２）は、少なくとも２つの自由度による相対的な移動を受けることができ、前記装置（１）は、
−トリガ位置を生成するユニット（４）と、
−前記移動要素の移動の少なくとも一部の間に、前記自由度に対応する軸（Ｘｉ、θＸ、Ｙｉ、θＹ、Ｚｉ、θＺ）に従って定義された前記移動要素（２）の実際の位置（ＰＲｉ）を生成するように構成された実際の位置を生成するユニット（５）であって、前記移動要素（２）の連続する有効位置を、リアルタイムで測定するように構成された測定ユニット（６）を含み、前記実際の位置（ＰＲｉ）が少なくとも前記有効位置を含む、実際の位置を生成するユニット（５）と、
−現在のトリガ位置と呼ばれるトリガ位置（ＰＣｉ）に対し、この現在のトリガ位置（ＰＣｉ）で実際の位置を生成するユニット（５）でリアルタイムに生成された連続する実際の位置（ＰＲｉ）を比較し、これらの連続する実際の位置（ＰＲｉ）から、前記現在のトリガ位置（ＰＣｉ）に最も近い実際の位置（Ｐｉ）、およびこれが前記現在のトリガ位置（ＰＣｉ）に対して所与の制限（Ｌ）内にあることを特定するように構成される比較ユニット（８）と、
以下の２つの条件が同時に満たされる場合、前記現在のトリガ位置（ＰＣｉ）のパルス信号を生成するよう構成されたパルス信号を生成するユニット（１０）であって、前記条件は、
前記移動要素（２）が、前記最も近い実際の位置（Ｐｉ）に到達すること、および
この最も近い実際の位置（Ｐｉ）が、前記現在のトリガ位置（ＰＣｉ）に対して前記所与の制限（Ｌ）内にあることである、ユニット（１０）と、
を備えていることと特徴とする装置（１）。
【請求項７】
実際の位置を生成する前記ユニット（５）が、毎回、前記測定ユニット（６）により測定された２つの連続する有効位置の間の補間位置の連続を、前記移動要素の移動速度、前記有効位置を含む前記実際の位置、および２つの連続する有効位置の間で、前記補間位置を考慮することによって、決定するよう構成される補間ユニット（１３）を備えていることを特徴とする請求項６に記載の装置。
【請求項８】
トリガ位置を生成する前記装置（４）が、
−所定の理論的トリガ位置を入力するよう構成される入力サブユニット（１６）と、
−これらの理論的位置を、移動システムのエラーに関する所定の情報から前記移動要素の移動を生成するように構成された前記移動システムに適合させ、それから前記トリガ位置を推定するよう構成される処置サブユニット（１７）と、
を含むことを特徴とする請求項６または７に記載の装置。
【請求項９】
前記比較ユニット（８）が、
−距離パラメータを計算するよう構成される計算サブユニット（２４）と、
−この距離パラメータと所定の値との差を計算するよう構成される比較サブユニット（２５）と、
−前記差の変動を評価し、前記差が最も低い位置を検出するよう構成される評価サブユニット（２９）であって、前記最も近い実際の位置がこの位置に対応する、評価サブユニット（２９）と、
を備えていることを特徴とする請求項６〜８のいずれか一項に記載の装置。
【請求項１０】
−前記対象物を運ぶ支持体（３）と、
−パルスのトリガ信号の受信中に動作を実行することができる処置システムを備えた移動要素（２）であって、前記支持体（３）に対して相対的な移動を実行する、移動要素（２）と、
前記移動要素（２）の移動中にパルス信号を生成し、前記処置システムに送信することを意図する、請求項６〜９のいずれか一項に指定されるようなパルス信号を生成するための装置（１）と、
を備えていることを特徴とする対象物の処置のためのアセンブリ。
【発明の詳細な説明】
【技術分野】
【０００１】
本発明は、移動要素のトリガ位置と呼ばれる位置でパルス信号を生成する方法および装置に関する。
【背景技術】
【０００２】
一般に、ただし排他的ではなく、移動要素は、例えば、処置対象物を備えた支持板（またはプラットフォーム）などの固定支持体に関する相対的な移動を受ける。
【０００３】
通常、支持体および処置対象物に対する移動要素の相対的な変位（または移動）は、
−対象物が固定されている、移動要素の移動、
−移動要素と呼ばれる要素が固定されている、対象物の移動、または
−移動要素と対象物の両方の移動
によって生じ得る。
【０００４】
多くの場合、移動要素は処置システムを備えている。例として、処置システムは、そのような処置システムに関連して使用される光学システム、機械システム、電気システム、および／または他の同様のシステムを含むがこれらに限定されない。この処置システムは、処置対象物の特定の場所でレーザ切断や画像撮影などの様々な動作（または処置操作、または機械的、化学的、電気的、または同様の機能）を実行することを意図しており、移動要素と対象物との間の相対的な移動中に、移動要素の特定の位置において、処置の機能が実行される。
【０００５】
一般に、この種の操作を実施するために、移動要素の運動学および位置は、例えば特定の処置動作（例えばレーザ切断）が実行されるときに、所定の時間に求められる位置に到達するように構成される。より具体的には、動作は所定の瞬間、例えば定期的に選択的に実行され、移動要素の動きは、移動要素がこれらの所与の各瞬間に正しい位置に位置するように制御および修正される。
【０００６】
処置操作は、一般に、主従を使用してマスター／スレーブタイプの処理アーキテクチャを制御することにより実行される。例として、マスター要素は、動作を実行する瞬間（例えば、レーザパルスを放射する瞬間）に対応し、スレーブ要素は、移動要素により適切な位置に到達することに対応する。
【０００７】
したがって、上記に照らして、そのような処置操作を実行するための必要な様々な計算、修正、および制御は、実装が難しく、高価で不正確である。
【発明の概要】
【発明が解決しようとする課題】
【０００８】
本願は、従来技術のシステムのこれらの欠点を克服しようとするものである。より具体的には、本願は、移動要素のトリガ位置と呼ばれる位置でパルス信号を生成する方法に関し、移動要素は、少なくとも２つの自由度による相対的な移動を受けることができる。
【課題を解決するための手段】
【０００９】
実施形態によれば、この方法は、トリガ位置を生成するステップを含み、方法は移動要素の移動の少なくとも一部の間に、以下の連続するステップの継続が反復的に実行されるようにし、連続するステップは、
−実際の位置と呼ばれる位置を生成するステップであって、自由度に対応する軸に従って定義された移動要素の実際の位置を生成することからなり、移動要素の連続する有効位置をリアルタイムで測定することからなる測定ステップを含み、実際の位置が少なくとも有効位置を含む、ステップ、
−連続したトリガ位置に対して、毎回現在のトリガ位置と呼ばれるトリガ位置に対し、
・この現在のトリガ位置で実際の位置を生成するステップでリアルタイムに生成された連続する実際の位置を比較し、これらの連続する実際の位置から、現在のトリガ位置に最も近い実際の位置、およびこれが現在のトリガ位置に対して所与の制限内にあることを特定することからなる比較ステップ、および
・以下の２つの条件が同時に満たされる場合、現在のトリガ位置のパルス信号を生成することからなる、パルス信号を生成するステップであって、条件は、
・移動要素が、最も近い実際の位置に到達すること、および
・この最も近い実際の位置が、現在のトリガ位置に対して所与の制限内にあることである、ステップである。
【００１０】
したがって、（処置対象物に対する）移動要素の（相対）移動中に、移動要素の位置が決定される。これは、動作を実行する必要があるトリガ位置に最も近い位置である。この最も近い位置に到達すると、パルス（トリガ）信号が発信され、レーザカットなどの動作をトリガできる。このパルス信号は、レーザカットの制御、または光学的、機械的、化学的、または例えば画像の撮影などの他のタイプの別の動作の制御に対応することができる。
【００１１】
したがって、トリガは、最も近い位置に到達したときに実行される。したがって、この方法は、マスター／スレーブの従属性を実装する。マスター要素は、求める位置の移動要素が到達し、スレーブ要素は、トリガ信号の生成であり（この位置に到達したとき）、このことは、それが容易で正確な実装を得ることを可能にする（通常の解決策のように、移動要素のいずれの正確な移動の従属も必要としない）。
【００１２】
本発明の枠組みにおいて、移動要素は、自由度Ｎ（または移動または変位）に従って移動することができ、Ｎは２以上の整数である。例として、Ｎが６の場合、ＸＹ平面が互いに直交するＸ方向と方向Ｙによって定義される（例えば水平）と見なされる場合、自由度６はそれぞれ、Ｘ方向に沿った並進およびこのＸ方向の周りのいわゆる回転、Ｙ方向に沿った並進およびこの方向Ｙの周りの回転、およびＺと呼ばれる方向に沿った並進およびこのＺ方向の周りの回転に対応し、方向ＺはＸおよびＹ方向に直角である。上記の方法は増加した自由度の数に適応可能である。
【００１３】
有利なことに、実際の位置を生成するステップは、毎回、測定ステップの間に測定された２つの連続する有効位置の間の補間位置の連続を、移動要素の移動速度、有効位置を含む実際の位置、および２つの連続する有効位置の間で、補間位置を考慮することによって、決定することからなる補間ステップを含む。
【００１４】
さらに、有利なことに、トリガ位置を生成するステップは、
−所定の所望の（トリガ）位置を入力することからなる入力サブステップ、および
−これらの所望の位置を、移動システムのエラーに関する所定の情報から移動要素の相対的な移動を生成するように構成されたトリガシステムに適合させ、それからトリガ位置を推定することからなる処置サブステップを含む。
【００１５】
さらに、有利にも比較ステップは、
−距離パラメータＤ２の計算からなる計算サブステップであって、好ましくは次の式、
【数１】
2020527779.tif 000003
を使用し、
式中
・ＰＲｉは、考慮される実際の位置の自由度Ｌｉに応じた座標を表し、
・ＰＣｉは、現在のトリガ位置の自由度Ｌｉに応じた座標を表し、
・Ｎは、移動要素の自由度Ｌｉの数を表す、計算サブステップ、
−この距離パラメータＤ２と所定の値との差を計算することからなる比較サブステップ、および
−差の変動を評価し、差が最も低い位置を検出することからなる評価サブステップであって、最も近い実際の位置が後者の位置に対応する、評価サブステップを含む。
【００１６】
本願はまた、移動要素のトリガ位置と呼ばれる位置でパルス信号を生成する装置に関し、移動要素は、少なくとも２つの自由度による相対的な移動を受けることができる。
実施形態では、装置は、
−トリガ位置を生成するユニット、
−移動要素の移動の少なくとも一部の間に、自由度に対応する軸に従って定義された移動要素の実際の位置を生成するように構成され、実際の位置を生成するユニットが、移動要素の連続する有効位置をリアルタイムで測定するように構成された測定ユニットを含み、実際の位置が少なくとも有効位置を含む、実際の位置と呼ばれる位置を生成するユニット、
−現在のトリガ位置と呼ばれるトリガ位置に対し、この現在のトリガ位置で実際の位置を生成するユニットでリアルタイムに生成された連続する実際の位置を比較し、これらの連続する実際の位置から、現在のトリガ位置に最も近い該実際の位置、およびこれが現在のトリガ位置に対して所与の制限内にあることを特定するように構成される比較ユニット、ならびに
−以下の２つの条件が同時に満たされる場合、現在のトリガ位置のパルス信号を生成するよう構成される、パルス信号を生成するユニットであって、条件は、
・移動要素が、最も近い実際の位置に到達すること、および
・この最も近い実際の位置が、現在のトリガ位置に対して所与の制限内にあることである、ユニットを含む。
【００１７】
特定の実施形態では、実際の位置を生成するユニットが、毎回、測定ユニットにより測定された２つの連続する有効位置の間の補間位置の連続を、移動要素の移動速度、有効位置を含む実際の位置、および２つの連続する有効位置の間で、補間位置を考慮することによって、決定するよう構成される補間ユニットを含む。
【００１８】
さらに、特定の実施形態では、トリガ位置を生成するユニットは、
−所定の理論的トリガ位置を入力するためのサブユニット、および
−これらの理論的位置を、移動システムのエラーに関する所定の情報から移動要素の移動を生成するように構成された移動システムに適合させ、それからトリガ位置を推定するよう構成される処置サブユニットを含む。
【００１９】
さらに、有利にも比較ユニットは、
−距離パラメータＤ２を計算するよう構成される計算サブユニットであって、好ましくは次の式、
【数２】
2020527779.tif 000004
を使用する、計算サブユニットを含み、
式中
・ＰＲｉは、考慮される実際の位置の自由度Ｌｉに応じた座標を表し、
・ＰＣｉは、現在のトリガ位置の自由度Ｌｉに応じた座標を表し、
・Ｎは、移動要素の自由度Ｌｉの数を表し、さらに、
−この距離パラメータＤ２と所定の値との差を計算するよう構成される比較サブステップ、および
−差の変動を評価し、差が最も低い位置を検出するよう構成される評価サブステップであって、最も近い実際の位置がこの位置に対応する、評価サブステップを含む。
【００２０】
本願はまた、例えば電子部品などの対象物（光学、機械、化学など）の処置アセンブリに関し、処置アセンブリは、
−対象物を運ぶ支持体、
−パルスのトリガ信号の受信中に動作（光学、機械、化学の類などのもの）を実行することができる処置システムを備えた移動要素であって、支持体に対して相対的な移動を実行する、移動要素、
−および移動要素の移動中にパルス信号を生成し、システムに送信することを意図する、上記のようなパルス信号を生成するための装置、
を含む。
【図面の簡単な説明】
【００２１】
添付の図は、移動要素の特定の位置でパルス信号を生成する方法と装置のより完全に近い理解を可能にする。これらの図では、同一の参照番号は類似の要素を示している。
【００２２】
【図１】図１は、パルス信号を生成するための装置の特定の実施形態の図である。
【図２】図２は、移動要素の（相対）移動中の可能な自由度を概略的に示している。
【図３】図３は、図１の装置を比較するためのユニットの概要図である。
【図４】図４は、トリガ位置と呼ばれる位置に対する移動要素の移動経路を、一部概略的に示している。
【図５】図５は、図１の装置により実施される、パルス信号を生成する方法を概略的に示している。
【発明を実施するための形態】
【００２３】
図１に概略的に示されている装置１は、移動要素２（図２）のトリガ位置と呼ばれる特定の位置でパルス信号を生成する装置である。
【００２４】
移動要素２は、処置対象物（図示せず）を備えた支持体３（図２）、例えば支持板（またはプラットフォーム完）にして相対的な移動を受ける。
【００２５】
本発明の枠組みにおいて、支持体３および対象物に対する移動要素２に関する変位（または移動）は、好ましくは、移動要素２、支持体３および固定されている対象物の移動に対応する。しかし、
−要素（移動要素と呼ばれる）が固定されている、対象物の移動、または
−移動要素と対象物の両方の移動、ということもあり得る。
【００２６】
本発明の枠組みにおいて、移動要素２は、自由度Ｎによる相対的な移動を受けることができ、Ｎは２以上の整数である。
【００２７】
以下に、Ｎが６に等しい例を示す。支持体３は、例えば、図２に示すように、Ｘ（または縦方向）と呼ばれる方向およびＹ（または横方向）と呼ばれる方向によって規定される水平面ＸＹに実質的に平行に配置される。理解を容易にすることを意図する図２に表される目印Ｆは、水平面ＸＹを形成する方向（または軸）ＸおよびＹに加えて、該ＸＹ平面に直交するＺ（または垂直）と呼ばれる方向（または軸）を含む。図２に示すように、６つの可能な自由度（二重の矢印で表される）はそれぞれ、
−Ｘ方向に沿った、Ｘｉと呼ばれる平行移動、
−Ｘ方向に沿った、θＸと呼ばれる回転、
−Ｙ方向に沿った、Ｙｉと呼ばれる平行移動、
−Ｙ方向に沿った、θＹと呼ばれる回転、
−Ｚ方向に沿った、Ｚｉと呼ばれる平行移動、および
−Ｚ方向に沿った、θＺと呼ばれる回転に対応している。
【００２８】
この方法および装置は、別の数Ｎ（２を超えるもの）の自由度、特に、例えば複雑な多軸位置決めのフレームワークの６を超える数Ｎにも適用できる。
【００２９】
実施形態では、移動要素２および支持体３は、処置アセンブリ（図示せず）の一部を形成する。様々な可能なタイプのこの処置アセンブリは、
−対象物を運ぶ支持体３、
−パルスのトリガ信号の受信中に動作（光学、機械、化学の類など）を実行することができる処置システムを備えた移動要素２であって、支持体３に対して相対的な移動を実行する移動要素２および処置システムならびに処置対象物、ならびに
移動要素２の移動中にパルス信号を生成し、処置システムに送信することを意図する、以下に指定されるパルス信号を生成するための装置１を含む。
【００３０】
パルス信号を生成するための装置１は、図１に示すように、
−以下に指定するトリガ位置を生成するユニット４、
−いわゆる実際の位置を生成するためのユニット５を含む。ユニット５は、上述の自由度Ｘｉ、Ｙｉ、Ｚｉ、θＸ、θＹ、およびθＺの少なくとも一部に従って定義される移動要素２の実際の位置を、自動的かつリアルタイムで生成するように構成される。ユニット５は、この目的のために、移動要素２の連続する有効位置をリアルタイムで測定するように構成された測定ユニット６を備える。実際の位置は、以下で指定されるように、少なくともこれらの測定された有効位置を含み、また
−中央ユニット７は、
・連続する実際の位置（実際の位置を生成するためにユニット５によってリアルタイムで生成される）のいわゆる現在のトリガ位置について、トリガ位置を生成するためのユニット４の接続９を介して受信したこの現在のトリガ位置に対して自動的にリアルタイムで比較するように構成された比較ユニット８を含む。比較ユニット８は、この比較から、（ユニット５から受信した）これらの連続する実際の位置から、現在のトリガ位置に最も近い実際の位置、およびこれを現在のトリガ位置に関する所与の制限内であることを特定するように構成されること、および、
・パルス信号を生成するユニット１０であって、このユニット１０は、接続１１を介して比較ユニット８に接続され、比較ユニット８によって実施される処置の結果を受け取り、使用者の手段（図示せず）、好ましくは上述の処置システムへの接続１２を介してパルス信号を自動的に発信することができる。
【００３１】
実施形態では、パルス信号を生成するためのユニット１０は、以下の２つの条件が同時に満たされる場合に、現在のトリガ位置のパルス信号を生成するように構成され、条件は、
−移動要素２が、最も近い実際の位置に到達すること、および
−この最も近い実際の位置が、現在のトリガ位置に対して指定された制限内にあることである。
【００３２】
実施形態では、実際の位置を生成するためのユニット５はまた、接続１４を介して比較ユニット８に接続される補間ユニット１３を備える。補間ユニット１３は、図１の例のように、ユニット５、または同様に中央ユニット７に統合することができる。
【００３３】
補間ユニット１３は、測定ユニット６によって測定された連続する２つの有効位置、毎回、例えば第１の位置または「上流位置」と、第２の位置または「下流位置」との間の補間位置の連続を決定するように構成される。補間ユニット１３は、これらの第１および第２の位置、または上流と下流の位置の間の移動要素２の想定される移動速度を考慮するように構成でき、通常、これら２つの測定された連続位置の間の補間される所定の数の位置（第１および第２、または上流および下流）を決定する。現在のステップで考慮される移動速度は、測定される前のステップの移動要素２の移動速度であり得る。補間は十分に大きい補間周波数で実行され、そのため、そこでの速度の変動が物理的に大きくなりすぎず、また位置決めの分解能（ｒｅｓｏｌｕｔｉｏｎ）が内部に維持され、それは考慮される適用により目標とされる解像度よりもはるかに低くなる。
【００３４】
したがって、接続１４を介して比較ユニット８に送信される実際の位置は、
−（例えば５ＭＨｚの周波数で）測定ユニット６によって測定された有効位置、および
−補間ユニット１３によって決定され、より高い周波数、例えば２００ＭＨｚで放射される、２つの連続する有効位置の間の補間位置を含む。
【００３５】
さらに、特定の実施形態では、トリガ位置を生成するためのユニット４は、図１に示すように、
−入力要素１６、例えばコンピュータキーボード、マウス、および／またはデータを入力するための任意の他の通常の手段を含む。入力要素１６により、操作者は、接続１８で示すように、例えばＣＰＵタイプの中央処置装置などの処置要素１７であって、
−移動システムのエラーに関する所定の情報により、そこからトリガ位置を推定するため、これらの所望の位置を、移動要素の相対的な移動を生成するように構成された移動システムに適合させるように構成された、処置要素１７に所望の所定の（トリガ）位置を入力することができる。
【００３６】
この目的のために、実施形態では、処置要素１７は
−接続１８を介して入力要素１６に接続され、特に上記の移動システムの特徴を含む要素１９、
−接続２１を介して要素１９に接続され、移動システムのエラーを決定する要素２０、および、
−接続２３を介して要素２０に接続され、移動システムのエラーを考慮することにより（入力要素１６を使用して）入力された所望の位置の修正位置に対応するトリガ位置を決定する要素２２を含むことができる。
【００３７】
さらに、図３に示すように、比較ユニット８（現在のトリガ位置に最も近い実際の位置を識別するように構成されている）は、
−以下で指定される距離パラメータＤ２を計算するように構成された計算要素２４、
−この距離パラメータＤ２と記憶要素２６に記録された所定の値Ｒ２との差を計算するように構成された比較要素２５、および、
−差の変動を評価し、この位置に対応する最も近い実際の位置である、差が最も低い位置を検出するように構成された評価サブユニットを含む。
【００３８】
評価サブユニットは、次の２つの条件が同時に満たされるかどうかを検証する要素２９を備え、
−第１の条件は、図４に示すように、最も近い実際の位置Ｐｉが、現在のトリガ位置ＰＣｉに対して所定の制限Ｌ内に位置することであり、要素２５によって検証される。この図４では、現在のトリガ位置ＰＣｉが示されており、これには、所定の制限Ｌ（この場合、ＰＣｉを中心とする半径Ｒの円）、ならびに経路Ｔ（図４のこの例では、ＸＹ平面の図として位置している）に沿って移動する移動要素の異なる連続した実際の位置ＰＲｉが関連付けられていること、および、
−第２の条件は、移動要素２が、経路Ｔに沿った移動中に、異なる実際の位置ＰＲｉの中から最も近い実際の位置Ｐｉに到達することであり、要素２７および２８によって検証される。
【００３９】
これを行うべく、
−要素２８は、現在の実際の位置に先行する実際の位置の距離パラメータＤ２（計算要素２４によって計算される）を記録することを可能にする要素であり、また
−要素２７は、各々の現在の実際の位置について、（要素２８に記録された）先行する位置のこの距離パラメータと、この現在の実際の位置の距離パラメータＤ２（計算要素２４によって計算される）との差を計算し、この差（移動手段（moving vehicle,移動車両）が現在のトリガ位置ＰＣｉに近づく場合先に減少する）が再び増加し始めるとすぐに、最も近い実際の位置Ｐｉに到達すると結論付ける。
【００４０】
好ましい実施形態では、計算要素２４は、以下の式を使用して距離パラメータＤ２を計算し、
【数３】
2020527779.tif 000005
式中
−ＰＲｉは、考慮される実際の位置の自由度Ｌｉに応じた座標を表し、
−ＰＣｉは、現在のトリガ位置の自由度Ｌｉに応じた座標を表し、
−Ｎは、移動要素の自由度Ｌｉの数を表す。
【００４１】
これを行うために、４つの自由度（Ｎ＝４）に基づく実施形態の例の場合、計算要素２４は、
−一方で接続１４Ａ、１４Ｂ、１４Ｃ、および１４Ｄを介して受信した４つのＰＲｉ値（ＰＲ１、ＰＲ２、ＰＲ３、ＰＲ４）間の差をそれぞれ計算する要素３０Ａ、３０Ｂ、３０Ｃ、および３０Ｄ（図１の接続１４の一部を形成）と、他方で、接続９Ａ、９Ｂ、９Ｃ、９Ｄ（図１の接続９の一部を形成）を介して受信した４つのＰＣｉ値（ＰＣ１、ＰＣ２、ＰＣ３、ＰＣ４）、
−これらの差の二乗をそれぞれ計算する要素３１Ａ、３１Ｂ、３１Ｃ、および３１Ｄ、ならびに
−要素３１Ａ、３１Ｂ、３１Ｃ、および３１Ｄによって求められる結果を合計する要素３２を含む。
【００４２】
任意選択的に、上記の最小二乗の計算を使用する代わりに、計算要素２４はまた、例えば、絶対値の合計または別の累乗による計算などの別の計算を使用することもできる。
【００４３】
以下に、パルス信号を生成するための方法（図５に示す）から、上記のような装置１の機能を説明する。
【００４４】
方法は、ユニット４によって実施される、トリガ位置を生成する予備ステップＥ０を含む。
【００４５】
方法は、さらに、移動要素の移動の少なくとも一部の間、反復的に実施される次の連続するステップの継続を含み、連続するステップは、
−ユニット５によって実装され、考慮される自由度に対応する軸に従って定義される移動要素２の実際の位置ＰＲｉ（図４）を生成することからなる、実際の位置を生成するステップＥ１であって、
・ユニット６により実施され、移動要素の連続的な有効位置をリアルタイムで測定することからなる測定ステップＥ１１、および
・ユニット１３により実施され、毎回、測定ステップＥ１１の間に測定された２つの連続する有効位置の間の補間位置の継続を決定することからなる補間ステップＥ１２であって、実際の位置が測定された有効位置のすべてを含み、および補間位置がある、補間ステップＥ１２、
を含むステップＥ１、
−連続したトリガ位置に対し、毎回、現在のトリガ位置ＰＣｉと呼ばれるトリガ位置に対して、
・ユニット８により実行され、実際の位置を生成するステップＥ１でリアルタイムに生成された連続する実際の位置を、この現在のトリガ位置ＰＣｉにて比較して、これらの連続する実際の位置ＰＲｉの中から、現在のトリガ位置ＰＣｉに最も近い実際の位置Ｐｉ、および現在のトリガ位置ＰＣｉに関して所定の限界Ｌ内にあることを特定することからなる比較ステップＥ３、ならびに
・ユニット１０により実施され、以下の２つの条件が同時に満たされる場合に、現在のトリガ位置ＰＣｉのパルス信号を生成することからなる、パルス信号を生成するステップＥ４であって、条件は、
・移動要素２が、（連続して到達する異なる実際の位置ＰＲｉの中から）最も近い実際の位置Ｐｉに到達すること、および
・この最も近い実際の位置Ｐｉが、考慮される現在のトリガ位置ＰＣｉに関して所与の制限Ｌ内に位置することである、ステップＥ４である。
【００４６】
ステップＥ４で（現在のトリガ位置で）パルス信号が生成されると、次のトリガ位置が新しい現在のトリガ位置と見なされ、この新しい現在のトリガ位置に対してステップＥ３とＥ４が再び実行される。これらのステップＥ３およびＥ４は、トリガ位置ごとに繰り返し実行される。
【図１】
2020527779.tif 000007
【図２】
2020527779.tif 000008
【図３】
2020527779.tif 000009
【図４】
2020527779.tif 000010
【図５】
2020527779.tif 000011
【国際調査報告】
2020527779.tif 000012
2020527779.tif 000013
2020527779.tif 000014
2020527779.tif 000015